(57)【要約】【課題】マンホールや共同溝等の地中に設けられた立金物のボルト孔に簡単に固定したり、取外すことができる立金物取付用支持金具を提供する。【解決手段】地中設置物４を支持する地中設置物支持部材１１と、地中設置物支持部材１１の基部１１ｂ側に上下方向に設けられた２個のピン１２ａ，１２ｂと、２個のピン１２ａ，１２ｂを立金物の対応するボルト挿通孔に挿通した後、地中設置物支持部材１１とは反対側から立金物を挟むように２個のピン１２ａ，１２ｂに掛止され、立金物取付用支持金具１が立金物から脱落することを防止するストッパ１３とを備えている。【選択図】図４
2019017178.tif 000002
【特許請求の範囲】
【請求項１】
上下方向に所定間隔で複数のボルト挿通孔が設けられ、地中の共同溝や管路、マンホール等の地中空洞部に設置された立金物に取付けられ、電力ケーブルや通信ケーブル、電力機器、通信機器等の地中設置物を支持する立金物取付用支持金具であって、
前記地中設置物を支持する地中設置物支持部材と、
前記地中設置物支持部材の基部側に設けられ、前記立金物のボルト挿通孔に挿通する複数のピンと、
前記地中設置物支持部材とは反対側から前記立金物を挟むように前記ピンに掛止され、当該立金物取付用支持金具が前記立金物から脱落することを防止するストッパと、
を備えていることを特徴とする立金物取付用支持金具。
【請求項２】
請求項１の立金物取付用支持金具において、
前記ストッパには、
前記ピンを挿通させるピン挿通孔が形成されていると共に、そのピン挿通孔に連続して当該ピン挿通孔の内径および前記ピンの外径よりも小さい幅を有するピン掛止孔が形成されており、
前記ピンには、
前記ストッパが掛止される箇所に切溝が形成されており、その切溝によって残存した掛止部の幅は、前記ピンの外径よりも小さく、かつ、前記ピン掛止孔の横幅以下であることを特徴とする立金物取付用支持金具。
【請求項３】
請求項１または請求項２に記載の立金物取付用支持金具において、
前記ピンは、前記地中設置物支持部材の基部側に上下方向に所定間隔を空けて複数設けられており、
前記複数のピンの内、少なくとも下方に位置する下位ピンは、当該下位ピンの上方でかつ鉛直方向からずれた位置に設けられた上位ピンよりも、当該下位ピンの前記掛止部における前記地中設置物支持部材の基部側の側面と前記上位ピンの前記掛止部における前記地中設置物支持部材の先端部側の側面との間隔が前記立金物のボルト挿通孔の内径とほぼ同じ長さだけずらして設けられていることを特徴とする立金物取付用支持金具。
【請求項４】
請求項１〜請求項３のいずれか一の請求項に記載の立金物取付用支持金具の取付方法であって、
当該立金物取付用支持金具の前記地中設置物支持部材の基部側に設けられた前記ピンを前記立金物の対応する前記ボルト挿通孔に挿通する工程と、前記ボルト挿通孔に前記地中設置物支持部材とは反対側から前記ストッパを配置する工程と、前記地中設置物支持部材との間で前記立金物を挟むように前記ピンに前記ストッパを掛止する工程と、を有することを特徴とする立金物取付用支持金具の取付方法。
【発明の詳細な説明】
【技術分野】
【０００１】
本発明は、上下方向に所定間隔で複数のボルト挿通孔が設けられ、地中の共同溝や管路、マンホール等の地中空洞部の側壁（横壁）に設置された立金物に取付けられ、電力ケーブルや通信ケーブル、電力機器、通信機器等の地中設置物を支持する立金物取付用支持金具および立金物取付用支持金具の取付方法に関する。
【背景技術】
【０００２】
近年、都市部における電力ケーブルや電話ケーブル、通信ケーブル、電器機器等は、地上の電柱や支柱ではなく、地中に設けた共同溝や管路内に布設する地中化が進められている。これらの地中設置物を地中に設置する場合は、共同溝の側壁（横壁）や管路の途中に設けたマンホール等の地中空洞部の側壁（横壁）に立金物を適当間隔毎に配置し、これらの立金物に取付けた受金物を利用してケーブルや接続箱などを支持するようにしている。
ここで、立金物には上下方向に所定間隔でボルト孔が形成されており、従来の立金物取付用支持金具では、この立金物に設けられたボルト孔にボルトを挿入してナットに締結して固定している（例えば、特許文献１参照。）。
【先行技術文献】
【特許文献】
【０００３】
【特許文献１】特開平９−６５５３２号公報
【発明の概要】
【発明が解決しようとする課題】
【０００４】
しかし、上述の特許文献１の立金物取付用支持金具では、立金物に設けられたボルト孔にボルトを挿入してナットに締結して固定しているため、立金物取付用支持金具の固定作業に手間がかかるという問題があった。
【０００５】
特に、立金物が設けられたマンホールや共同溝等の地中空洞部は、地中であるため空間が狭く、かつ、薄暗いため、立金物に設けられたボルト孔にボルトを挿入してナットで締結する作業自体が困難であった。
【０００６】
また、立金物はマンホールや共同溝等の地中空洞部の壁面に固定されており、結露等によって錆易いため、上述の特許文献１の立金物取付用支持金具におけるボルトおよびナットの固定では、錆等によって取外すことが困難になる場合もあった。
【０００７】
そこで、本発明はこのような問題点に着目してなされたもので、マンホールや共同溝等の地中に設けられた立金物のボルト孔に簡単に固定したり、取外すことができる立金物取付用支持金具および立金物取付用支持金具の取付方法を提供することを目的とする。
【課題を解決するための手段】
【０００８】
上記課題を解決するため、本発明に係る立金物取付用支持金具は、上下方向に所定間隔で複数のボルト挿通孔が設けられ、地中の共同溝や管路、マンホール等の地中空洞部に設置された立金物に取付けられ、電力ケーブルや通信ケーブル、電力機器、通信機器等の地中設置物を支持する立金物取付用支持金具であって、前記地中設置物を支持する地中設置物支持部材と、前記地中設置物支持部材の基部側に設けられ、前記立金物のボルト挿通孔に挿通する複数のピンと、前記地中設置物支持部材とは反対側から前記立金物を挟むように前記ピンに掛止され、当該立金物取付用支持金具が前記立金物から脱落することを防止するストッパと、を備えていることを第１の特徴とする。
また、本発明に係る立金物取付用支持金具は、前記立金物取付用支持金具において、前記ストッパには、前記ピンを挿通させるピン挿通孔が形成されていると共に、そのピン挿通孔に連続して当該ピン挿通孔の内径および前記ピンの外径よりも小さい幅を有するピン掛止孔が形成されており、前記ピンには、前記ストッパが掛止される箇所に切溝が形成されており、その切溝によって残存した掛止部の幅は、前記ピンの外径よりも小さく、かつ、前記ピン掛止孔の横幅以下であることを第２の特徴とする。
また、本発明に係る立金物取付用支持金具は、前記立金物取付用支持金具において、前記ピンは、前記地中設置物支持部材の基部側に上下方向に所定間隔を空けて複数設けられており、前記複数のピンの内、少なくとも下方に位置する下位ピンは、当該下位ピンの上方でかつ鉛直方向からずれた位置に設けられた上位ピンよりも、当該下位ピンの前記掛止部における前記地中設置物支持部材の基部側の側面と前記上位ピンの前記掛止部における前記地中設置物支持部材の先端部側の側面との間隔が前記立金物のボルト挿通孔の内径とほぼ同じ長さだけずらして設けられていることを第３の特徴とする。
また、本発明に係る立金物取付用支持金具の取付方法は、上述のいずれかの立金物取付用支持金具の前記地中設置物支持部材の基部側に設けられた前記ピンを前記立金物の対応する前記ボルト挿通孔に挿通する工程と、前記ボルト挿通孔に前記地中設置物支持部材とは反対側から前記ストッパを配置する工程と、前記地中設置物支持部材との間で前記立金物を挟むように前記ピンに前記ストッパを掛止する工程と、を有することを特徴とする。
【発明の効果】
【０００９】
本発明に係る立金物取付用支持金具では、地中設置物を支持する地中設置物支持部材の基部側に設けられたピンと、そのピンを立金物の対応するボルト挿通孔に挿通した後、地中設置物支持部材とは反対側から立金物を挟むようにそのピンに掛止され、当該立金物取付用支持金具が立金物から脱落することを防止するストッパとを備えているため、ピンを立金物のボルト孔に通した後、地中設置物支持部材の反対側から立金物を挟むようにストッパを掛止する本発明に係る立金物取付用支持金具の取付方法を採用することによって、マンホールや共同溝等の地中に設けられた立金物のボルト孔に簡単に立金物取付用支持金具を固定することができる。
【図面の簡単な説明】
【００１０】
【図１】本発明に係る実施形態１の立金物取付用支持金具を立金物に取付けると共に、ケーブル受碍子を装着して電力ケーブル等の地中設置物を支持させた状態を示す正面図である。
【図２】本発明に係る実施形態１の立金物取付用支持金具を立金物に取付けると共に、ケーブル受碍子を装着して電力ケーブル等の地中設置物を支持させた状態を示す平面図である。
【図３】本発明に係る実施形態１の立金物取付用支持金具の斜視図である。
【図４】（ａ）〜（ｃ）それぞれ、本発明に係る実施形態１の立金物取付用支持金具の正面図、平面図、左側面図である。
【図５】（ａ），（ｂ）それぞれ、本発明に係る実施形態１の立金物取付用支持金具のピンの断面形状を示す断面図、実施形態１の立金物取付用支持金具に設けた２本のピンの位置関係等を示す部分拡大正面図である。
【図６】本発明に係る実施形態１の立金物取付用支持金具を構成するストッパの平面図である。
【図７】本発明に係る実施形態１の立金物取付用支持金具を立金物に取付けた状態を示す部分拡大正面図である。
【図８】本発明に係る実施形態１の立金物取付用支持金具を立金物に取付けた状態を示す部分拡大平面図である。
【図９】本発明に係る実施形態１の立金物取付用支持金具を立金物に取付けた状態を示す部分拡大断面図である。
【図１０】（ａ）〜（ｃ）それぞれ、本発明に係る実施形態２の立金物取付用支持金具の正面図、平面図、左側面図である。
【図１１】本発明に係る実施形態２の立金物取付用支持金具を立金物に取付けた状態を示す部分拡大正面図である。
【図１２】（ａ）〜（ｃ）それぞれ、本発明に係る実施形態３の立金物取付用支持金具の正面図、平面図、左側面図である。
【図１３】本発明に係る実施形態３の立金物取付用支持金具を立金物に取付けた状態を示す部分拡大正面図である。
【発明を実施するための形態】
【００１１】
以下、本発明に係る実施形態１〜３の立金物取付用支持金具および立金物取付用支持金具の取付方法について、図面を参照して説明する。なお、下記に説明する実施形態１〜３はあくまで本発明の一例であり、本発明は下記の実施形態１〜３に限定されるものではなく、本発明の技術思想の範囲内で適宜変更可能である。
【００１２】
実施形態１．
実施形態１の立金物取付用支持金具１は、図１および図２に示すように、上下方向に所定間隔で複数のボルト挿通孔２２ａが設けられ、地中の共同溝や管路、マンホール等の地中空洞部の側壁３に設置された立金物２に取付けられ、電力ケーブルや通信ケーブル、電力機器、通信機器等の地中設置物４を支持するもので、地中設置物支持部材１１と、２本のピン１２ａ，１２ｂと、ストッパ１３と、ケーブル受碍子１４とを備えている。
【００１３】
（立金物２の構成）
立金物２は、図１および図２に示すように断面Ｌ字形状のアングル材を利用して構成されており、地中空洞部の側壁３にアンカーボルト４１等で固定される壁固定用板部２１と、壁固定用板部２１から垂直に折り曲げられ、上下方向に所定間隔で複数のボルト挿通孔２２ａが設けられ、その複数のボルト挿通孔２２ａを使用して立金物取付用支持金具１が取付けられる金具取付用板部２２とから構成されている。
【００１４】
そのため、立金物２の壁固定用板部２１には、アンカーボルト４１が挿通する丸型のボルト挿通孔２１ａや、場合によって図示しないが長孔形状のボルト孔が形成されている。尚、立金物２の金具取付用板部２２に設けられたボルト挿通孔２２ａの内径は、図７に示すようにＲ３とする。
【００１５】
（立金物取付用支持金具１の構成）
実施形態１の立金物取付用支持金具１は、図１〜図５等に示すように、地中設置物支持部材１１と、２本のピン１２ａ，１２ｂと、ストッパ１３と、ケーブル受碍子１４とを備えている。尚、ケーブル受碍子１４は、従来から使用されているもので、場合によって省略することも可能であり、本発明に必須のものでないため、図１および図２でのみ図示し、図３以降では省略する。
【００１６】
地中設置物支持部材１１は、図２および図３に示すようにケーブル受碍子１４を介し、またはケーブル受碍子１４を介さずに電力ケーブルや通信ケーブル、電力機器、通信機器等の地中設置物４を支持するもので、先端部にはケーブル受碍子１４が抜止め等を図るための抜止め用折曲部１１ａが設けられていると共に、基部側には上下方向に２本のピン１２ａ，１２ｂが設けられている。
【００１７】
２本のピン１２ａ，１２ｂは、立金物２の金具取付用板部２２の対応するボルト挿通孔２２ａに挿通した後、地中設置物支持部材１１とは反対側から立金物２の金具取付用板部２２を挟むようにストッパ１３が取付けられもので、それぞれ、図５（ａ），（ｂ）に示すように、ストッパ１３が掛止される箇所にはそれぞれ両側に切溝１２ａ１，１２ｂ１が形成されており、その切溝１２ａ１，１２ｂ１によって残存した掛止部１２ａ２，１２ｂ２の幅Ｌ１は、ピン１２ａ，１２ｂの外径Ｒ１よりも小さく、かつ、ストッパ１３の後述するピン掛止孔１３ｂ，１３ｂの横幅Ｌ３（図６参照。）以下で構成されている。尚、この実施形態１では、ストッパ１３をピン１２ａ，１２ｂに掛止した場合におけるストッパ１３のガタつきが極力小さくなるように、掛止部１２ａ２，１２ｂ２の幅Ｌ１は、ピン１２ａ，１２ｂの外径Ｒ１と同じにしている。
【００１８】
ここで、実施形態１では、図５（ｂ）に示すように、２本のピン１２ａ，１２ｂの内、少なくとも下方に位置する下位ピンであるピン１２ｂは、そのピン１２ｂより上方でかつ鉛直方向からずれた位置に設けられた上位ピンであるピン１２ａよりも地中設置物支持部材１１の基部１１ｂ側の端部に近い位置にずらして設けられている。
【００１９】
つまり、図５（ｂ）に示すように、下位ピンであるピン１２ｂは、当該ピン１２ｂよりも上方の上位ピンであるピン１２ａよりも、ピン１２ｂの掛止部１２ｂ２における地中設置物支持部材１１の基部１１ｂ側の側面と、ピン１２ａの掛止部１２ａ２における地中設置物支持部材１１の先端部側、すなわち抜止め用折曲部１１ａ側の側面との間隔Ｌ２が、立金物２の金具取付用板部２２に設けられたボルト挿通孔２２ａの内径Ｒ３（図７参照。）とほぼ同じ長さになるようにずらして設けられている。
【００２０】
そのため、図７〜図９に示すように、立金物２の金具取付用板部２２の複数のボルト挿通孔２２ａの内、任意の２つのボルト挿通孔２２ａそれぞれに地中設置物支持部材１１側に固定された２本のピン１２ａ，１２ｂを挿入し、各ピン１２ａ，１２ｂの掛止部１２ａ２，１２ｂ２それぞれが立金物２のボルト挿通孔２２ａ，２２ａに嵌まると、地中設置物支持部材１１の上辺が水平になると共に、各ピン１２ａ，１２ｂのガタつきを防止できる。
【００２１】
ストッパ１３は、図１や図２等に示すように、地中設置物支持部材１１に固定された複数のピン１２ａ，１２ｂを立金物２の対応するボルト挿通孔２２ａに挿通した後、地中設置物支持部材１１とは反対側から立金物２を挟むように複数のピン１２ａ，１２ｂに掛止して立金物取付用支持金具１の脱落を防止するもので、図６に示すように２個のピン１２ａ，１２ｂをそれぞれ挿通できるようにピン１２ａ，１２ｂの外径Ｒ１（図５（ｂ）参照。）よりも大きい内径Ｒ２を有するピン挿通孔１３ａ，１３ａと、各ピン挿通孔１３ａ，１３ａに連続してピン挿通孔１３ａ，１３ａの内径Ｒ２およびピン１２ａ，１２ｂの外径Ｒ１よりも小さい横幅Ｌ３を有するピン掛止孔１３ｂ，１３ｂとが形成されている。
【００２２】
そのため、ストッパ１３は、ピン挿通孔１３ａ，１３ａそれぞれに複数のピン１２ａ，１２ｂを通した後、ストッパ１３を下げると、ストッパ１３のピン掛止孔１３ｂ，１３ｂがピン１２ａ，１２ｂの掛止部１２ａ２，１２ｂ２に嵌り、掛止することができる。
【００２３】
また、この実施形態では、図８および図９に示すように、各ピン１２ａ，１２ｂの掛止部１２ａ２，１２ｂ２のピン軸方向の長さＬ４をストッパ１３の厚さよりも大きく構成しているため、ストッパ１３のピン掛止孔１３ｂ，１３ｂをピン１２ａ，１２ｂの掛止部１２ａ２，１２ｂ２に掛止する際、図８および図９では１枚のみ使用しているが、複数枚のストッパ１３を重ねて各ピン１２ａ，１２ｂの掛止部１２ａ２，１２ｂ２に掛止することにより、立金物取付用支持金具１をより確実に立金物２に固定することができると共に、立金物２の金具取付用板部２２の厚さが変更された場合にも、より簡単に対応することができる。
【００２４】
次に以上のように構成された立金物取付用支持金具１の取付け方法について説明する。
【００２５】
まずは、地中の共同溝や管路、マンホール等の地中空洞部の側壁３に設置された立金物２の複数のボルト挿通孔２２ａの内、任意の２個のボルト挿通孔２２ａに、それぞれ、地中設置物支持部材１１の基部１１ｂ側の上下方向に設けられた２個のピン１２ａ，１２ｂを通す。
【００２６】
次に、地中設置物支持部材１１の反対側から立金物２のボルト挿通孔２２ａから突出している２個のピン１２ａ，１２ｂそれぞれに当該立金物２を挟むようにストッパ１３のピン挿通孔１３ａ，１３ａを通して、ストッパ１３を２個のピン１２ａ，１２ｂの掛止部１２ａ２，１２ｂ２まで移動させる。
【００２７】
そして、ストッパ１３のピン挿通孔１３ａ，１３ａがピン１２ａ，１２ｂそれぞれの掛止部１２ａ２，１２ｂ２の位置まで来ると、ストッパ１３を下方へ押し下げ、２個のピン１２ａ，１２ｂそれぞれの掛止部１２ａ２，１２ｂ２にストッパ１３のピン掛止孔１３ｂ，１３ｂを嵌め、ストッパ１３がピン１２ａ，１２ｂに掛止させる。
【００２８】
すると、立金物取付用支持金具１を横に引っ張っても、ストッパ１３が立金物２の金具取付用板部２２に当たり、ストッパ１３は外れないので、立金物取付用支持金具１の脱落を確実に防止できる。
【００２９】
従って、実施形態１の立金物取付用支持金具１は、電力ケーブルや通信ケーブル、電力機器、通信機器等の地中設置物４を支持する地中設置物支持部材１１と、地中設置物支持部材１１の基部１１ｂ側に上下方向に設けられた２個のピン１２ａ，１２ｂと、２個のピン１２ａ，１２ｂを立金物２の対応するボルト挿通孔２２ａに挿通した後、地中設置物支持部材１１とは反対側から立金物２を挟むように２個のピン１２ａ，１２ｂに掛止され、立金物取付用支持金具１が立金物２から脱落することを防止するストッパ１３とを設けたため、２個のピン１２ａ，１２ｂを立金物２のボルト孔に通した後、地中設置物支持部材１１の反対側から立金物２を挟むようにストッパ１３を掛止する実施形態１の立金物取付用支持金具１の取付方法によって、マンホールや共同溝等の地中に設けられた立金物２のボルト孔２２ａに簡単に立金物取付用支持金具１を固定することができる共に、取外すことができる。
【００３０】
特に、実施形態１の立金物取付用支持金具１では、ストッパ１３には、２個のピン１２ａ，１２ｂを挿通させるピン挿通孔１３ａ，１３ａが形成されていると共に、そのピン挿通孔１３ａ，１３ａに連続して当該ピン挿通孔１３ａ，１３ａの内径よりも小さい横幅Ｌ３を有するピン掛止孔１３ｂ，１３ｂが形成されている一方、２個のピン１２ａ，１２ｂには、ストッパ１３を掛止する箇所に切溝１２ａ１，１２ｂ１が形成されており、その切溝１２ａ１，１２ｂ１によって残存した掛止部１２ａ２，１２ｂ２の幅Ｌ１は、ピン１２ａ，１２ｂの外径Ｒよりも小さく、かつ、ピン掛止孔１３ｂ，１３ｂの横幅Ｒ２以下であるため、地中設置物支持部材１１の反対側から立金物２を挟むように２個のピン１２ａ，１２ｂにストッパ１３を掛止した際、ストッパ１３のピン掛止孔１３ｂ，１３ｂがそれぞれピン１２ａ，１２ｂの掛止部１２ａ２，１２ｂ２に嵌るので、ストッパ１３をピン１２ａ，１２ｂに確実に掛止することができる。
【００３１】
また、実施形態１の立金物取付用支持金具１では、図５（ｂ）に示すように、２本のピン１２ａ，１２ｂの内、下方に位置するピン１２ｂを上方に位置するピン１２ａよりも、ピン１２ｂの掛止部１２ｂ２における地中設置物支持部材１１の基部１１ｂ側の側面と、ピン１２ａの掛止部１２ａ２における地中設置物支持部材１１の抜止め用折曲部１１ａ側の側面との間隔Ｌ２が、立金物２の金具取付用板部２２に設けられたボルト挿通孔２２ａの内径Ｒ３とほぼ同じ長さになるようにずらして設けているため、立金物２のボルト挿通孔２２ａに２本のピン１２ａ，１２ｂを挿入して各ピン１２ａ，１２ｂの掛止部１２ａ２，１２ｂ２をボルト挿通孔２２ａ，２２ａに嵌めると、地中設置物支持部材１１の上辺が水平になると共に、各ピン１２ａ，１２ｂのガタつきを防止して立金物取付用支持金具１を立金物２に取付けることができる。
【００３２】
実施形態２．
実施形態１の立金物取付用支持金具１では、図１〜図９に示すように、地中設置物支持部材１１に２本のピン１２ａ，１２ｂを設けて説明したが、実施形態２の立金物取付用支持金具１’では、地中設置物支持部材１１’に４本のピン１２ａ〜１２ｄを設けたことを特徴とする。
【００３３】
図１０（ａ）〜（ｃ）は、それぞれ、実施形態２の立金物取付用支持金具１’の正面図、平面図、左側面図、図１１は、実施形態２の立金物取付用支持金具１’を立金物２に取付けた状態を示す部分拡大正面図である。
【００３４】
図１０（ａ）〜（ｃ）に示すように実施形態２の立金物取付用支持金具１’では、４本のピン１２ａ〜１２ｄを、立金物２の複数のボルト挿通孔２２ａの間隔に合わせて、一定間隔で上下方向に地中設置物支持部材１１’の基部１１ｂ’側に設けている。
【００３５】
また図１１に示すように、実施形態２の実施形態１の立金物取付用支持金具１’では、４本のピン１２ａ〜１２ｄの内、下方に位置するピン１２ｃ，１２ｄは、それらより上方に位置するピン１２ａ，１２ｂよりも、ピン１２ｃ，１２ｄの掛止部１２ｃ２，１２ｄ２における地中設置物支持部材１１の基部１１ｂ側の側面と、ピン１２ａ，１２ｂの掛止部１２ａ２，１２ｂ２における地中設置物支持部材１１の抜止め用折曲部１１ａ側の側面との間隔が、立金物２の金具取付用板部２２に設けられたボルト挿通孔２２ａの内径Ｒ３（図７参照。）とほぼ同じ長さになるようにずらして設けている。
【００３６】
そのため、実施形態２の立金物取付用支持金具１’では、図１１に示すように、２つのストッパ１３を使用して、それぞれ、２本のピン毎、すなわちピン１２ａ，１２ｂと、ピン１２ｃ，１２ｄとに嵌めると、２つのストッパ１３も鉛直方向に対し図上、左右方向にずれることになる。
【００３７】
従って、実施形態２の立金物取付用支持金具１’および立金物取付用支持金具の取付方法によれば、地中設置物支持部材１１に設けるピンの数が２倍の４本に増えただけであるので、実施形態１の立金物取付用支持金具１と同様に、立金物２のボルト孔２２ａに簡単に立金物取付用支持金具１を固定したり、取外すことができると共に、ストッパ１３を確実に掛止したり、さらには地中設置物支持部材１１の上辺が水平になり、各ピン１２ａ〜１２ｄのガタつきも確実に防止して立金物取付用支持金具１を立金物２に取付けることができる。
【００３８】
特に、実施形態２の立金物取付用支持金具１’によれば、実施形態１の立金物取付用支持金具１よりも地中設置物支持部材１１に設けるピンの数が４本に増えたため、より重量の重い地中設置物４を支持することができると共に、ストッパ１３も２枚に増大したため、立金物取付用支持金具１が立金物２から脱落することをより確実に防止する
【００３９】
実施形態３．
実施形態３の立金物取付用支持金具１”は、図１２および図１３に示すように、地中設置物支持部材１１”に３本のピン１２ａ〜１２ｃを設けたことを特徴とする。
【００４０】
図１２（ａ）〜（ｃ）は、それぞれ、実施形態３の立金物取付用支持金具１”の正面図、平面図、左側面図、図１３は、実施形態３の立金物取付用支持金具１”を立金物２に取付けた状態を示す部分拡大正面図である。
【００４１】
図１２（ａ）〜（ｃ）に示すように実施形態２の立金物取付用支持金具１”では、３本のピン１２ａ〜１２ｃを一定間隔で上下方向に地中設置物支持部材１１”の基部１１ｂ”側に設けている。
【００４２】
また図１３に示すようにそして、実施形態３の実施形態１の立金物取付用支持金具１”では、３本のピン１２ａ〜１２ｃの内、下方に位置するピン１２ｃは、それらより上方に位置するピン１２ａ，１２ｂよりも、ピン１２ｃの掛止部１２ｃ２における地中設置物支持部材１１の基部１１ｂ側の側面と、ピン１２ａ，１２ｂの掛止部１２ａ２，１２ｂ２における地中設置物支持部材１１の抜止め用折曲部１１ａ側の側面との間隔が、立金物２の金具取付用板部２２に設けられたボルト挿通孔２２ａの内径Ｒ３（図７参照。）とほぼ同じ長さになるようにずらして設けている。
【００４３】
そのため、実施形態３の立金物取付用支持金具１”では、図１３に示すように、２つのストッパ１３を使用して、それぞれ、ピン１２ａ，１２ｂと、ピン１２ｃとに嵌めると、２つのストッパ１３が鉛直方向に対し図上、左右方向にずれると共に、ピン１２ｃに嵌めた下方のストッパ１３では、下側のピン挿通孔１３ａおよびピン掛止孔１３ｂには、ピンが挿入および掛止されない。
【００４４】
従って、実施形態３の立金物取付用支持金具１”および立金物取付用支持金具の取付方法によれば、地中設置物支持部材１１に設けるピン１２ａ〜１２ｃの数が３本に変更されただけであるので、実施形態１の立金物取付用支持金具１や実施形態２の立金物取付用支持金具１’と同様に、立金物２のボルト孔２２ａに簡単に立金物取付用支持金具１を固定したり、取外すことができると共に、ストッパ１３を確実に掛止したり、さらには地中設置物支持部材１１の上辺が水平になり、各ピン１２ａ〜１２ｃのガタつきも確実に防止して立金物取付用支持金具１を立金物２に取付けることができる。
【００４５】
特に、実施形態３の立金物取付用支持金具１”によれば、実施形態１の立金物取付用支持金具１よりも地中設置物支持部材１１に設けるピンの数が３本に増えたため、より重量の重い地中設置物４を支持することができると共に、ストッパ１３も２枚に増大したため、立金物取付用支持金具１が立金物２から脱落することをより確実に防止できる。
【００４６】
尚、上記実施形態１〜３の説明では、それぞれ、ピンの数を２本（実施形態１）、４本（実施形態２）、３本（実施形態３）で説明したが、本発明では、立金物取付用支持金具に設けるピンは１本でも、あるいは５本以上設けるようにしても勿論良い。
【００４７】
また、立金物２は地中の共同溝や管路、マンホール等の地中空洞部の側壁３だけでなく、天井や床面等に設置されていても良いし、立金物２の形状も地中空洞部の設置箇所に応じて上下方向に直線的な形状だけでなく、湾曲していても良い。その結果、立金物２に設けられた複数のボルト挿通孔２１ａの列も直線的な場合だけでなく、湾曲していても良い。
【符号の説明】
【００４８】
１，１’，１”  立金物取付用支持金具
１１，１１’，１１”  地中設置物支持部材
１１ａ，１１ａ’，１１ａ”  抜止め用折曲部
１１ｂ，１１ｂ’，１１ｂ”  基部
１２ａ，１２ｂ，１２ｃ，１２ｄ  ピン
１２ａ１，１２ｂ１  切溝
１２ａ２，１２ｂ２  掛止部
１３  ストッパ
１３ａ，１３ａ  ピン挿通孔
１３ｂ，１３ｂ  ピン掛止孔
１４  ケーブル受碍子
２  立金物
２１  壁固定用板部
２１ａ  ボルト挿通孔
２２  金具取付用板部
２２ａ  ボルト挿通孔
３  側壁
４  地中設置物
【図１】
2019017178.tif 000003
【図２】
2019017178.tif 000004
【図３】
2019017178.tif 000005
【図４】
2019017178.tif 000006
【図５】
2019017178.tif 000007
【図６】
2019017178.tif 000008
【図７】
2019017178.tif 000009
【図８】
2019017178.tif 000010
【図９】
2019017178.tif 000011
【図１０】
2019017178.tif 000012
【図１１】
2019017178.tif 000013
【図１２】
2019017178.tif 000014
【図１３】
2019017178.tif 000015